(57)【要約】      （修正有）【課題】太陽光モジュールパネルの温度管理（２０℃〜２５℃）を空冷により実施するシステムを提供する。【解決手段】太陽光モジュールパネルＳＭ１・ＳＭ２・ＳＭ３・ＳＭ４の温度管理（２０℃〜２５℃）を、太陽光モジュールパネルの発電電力により作動するプロペラファンＰＦ１・２・３・４を回転させ、連動する山型歯車空気圧縮機ＤＨＣ１・２・３・４およびヘリカルギアの運転状態をクラウド−ＩｏＴオペレーションで確認することで、冷却システムの制御を行う。【選択図】図１
2019033655.tif 000002
【特許請求の範囲】
【請求項１】
全日制人工太陽光で太陽光パネル（ソーラーモジュール）終日発電
【請求項２】
ボルテックチューブ・排気騒音解消
【請求項３】
ボルテックチューブ誘引作用で太陽光モジュールの温度管理
【請求項４】
プロペラファンと山型歯車（Ｄｏｕｂｌｅ−ｈｅｌｉｃａｌ  ｇｉａｒｓ）のユニット化、圧縮空気出力増加
【請求項５】
エアータービン噴射圧力緩和ポケット（Ａｉｒ  Ｂｕｆｆｅｒ  Ｐｏｃｋｅｔ）出力増加
【発明の詳細な説明】
【技術分野】
【０００１】全日制人工太陽光で太陽光モジュール発電に関わる
（本発明は、発電装置に関わる機器・部品すべてＤＣＬ処理（ダイヤモンド被膜処理）で無給油・無冷却稼働する機器及び装置）
【背景技術】
【０００２】太陽光モジュール発電に関わる蓄電設備の削減
【先行技術文献】
【特許文献】
【０００３】
【特許文献１】特許第４１８９８４３号
【特許文献２】特許第４３５２４３２号
【特許文献３】特許第４６５５２６７号
【特許文献４】特許第４７８０５０８号
【特許文献５】特許第４７８９０２３号
【特許文献６】商標第５２６８３０５号
【特許文献７】商標第５８５３０８６号はすでに存在する技術
【発明の概要】
【発明が解決しようとする課題】
【０００４】プロペラファンの駆動で外部エネルギー０の発電装置
（セラミック軸受け交換・ＤＣＬ処理）
【課題を解決するための手段】
【０００５】ＣＬＯＵＤ管理（ＣＬＯＵＤ  ＰＬＡＴＦＯＲＭ）
ＩｏＴ管理
１．据え付け場所（ユーザー名）
２．機械番号
●３．全日制人工太陽光管理（寿命・交換指示）（４０，０００時間）
４．太陽光モジュール管理
◎５．プロペラファン管理（寿命・交換指示）
６．ボルテックチューブ管理
７．エアータービン管理
◎８．発電機管理（ＡＣ１００Ｖ）（寿命・交換指示）
【発明の効果】
【０００６】太陽光モジュールが昼夜兼行（Ｎｉｇｈｔ＆Ｄａｙ）発電
【図面の簡単な説明】
【０００７】  図１  全日制人工太陽光で太陽光パネル（ソーラーモジュール）発電
図２  ボルテックチューブ１消音装置（断面図）
図３  太陽光モジュールの温度管理
◎図４  山型歯車空気圧縮機（Ｄｏｕｂｌｅ  ｈｅｌｉｃａｌ  ｇｅａｒｓ  Ａｉｒ  ｃｏｍｐｒｅｓｓｏｒ）
◎図５  エアータービン噴射ノズル圧緩衝溝（Ａｉｒ  Ｂｕｆｆｅｒ  Ｐｏｃｋｅｔ）
【発明を実施するための形態】
【実施例１】
【０００８】  図１  全日制人工太陽光で太陽光パネル（ソーラーモジュール）発電
◎▲１▼Ａ１・Ａ２・Ａ３・Ａ４は、全日制人工太陽光用蓄電器（ＡＣ１００Ｖ）
◎▲２▼１ａ・１ｂ・１ｃ・１ｄは、全日制人工太陽光ＬＥＤ蛍光管（ＡＣ１００Ｖ４０Ｗ）
▲３▼ＳＭ１・ＳＭ２・ＳＭ３・ＳＭ４は、太陽光モジュール
▲４▼ＰＦ１・ＰＦ２・ＰＦ３・ＰＦ４は、昼夜兼行型全日制太陽光で回転するプロペラファン（ＤＣ２４Ｖ）
セラミック軸受け・ローターシャフト（ＤＣＬ処理）
▲５▼ＤＨＣ１・ＤＨＣ２・ＤＨＣ３・ＤＨＣ４は、
山型歯車空気圧縮機（図４）  Ｐ１・Ｐ２は噴射圧力とＮ１・Ｎ２噴射ノズルで、エアータービン（図５）駆動
▲６▼減速駆動は、ヘリカル歯車（ＤＣＬ処理）、誘導発電機（Ｉｎｄｕ−ｃｔｉｏｎ  Ｇｎｅｒｅｔｅｒ）ＩＧ−１駆動
◎▲７▼誘導発電機（Ｉｎｄｕｃｔｉｏｎ  Ｇｅｎｅｒｅｔｅｒ）ＡＣ１００Ｖ５ＫＷ出力
外部エネルギー０で、▲１▼▲２▼を実施
【実施例２】
【０００９】図２  ボルテックチューブ１消音装置（断面図）
圧縮空気Ａをボルテックチューブ低温側の吐出ノイズを和らげる為の消音器２で排気Ｂを消音器ドラム形状に膨張させ、ポートＣで圧縮、更に若干膨張させ、排気Ｄで消音実現
【実施例３】
【００１０】図３  太陽光モジュールの温度管理
全日制太陽光モジュールパネルＳＭ１・ＳＭ２・ＳＭ３・ＳＭ４の温度管理（２０℃〜２５℃）でを循環空気で清掃を兼ね、３、３′の案内ガイドを介し、温度調整を実施
ボルテックチューブ１ａの調整弁Ｂ′で温風を、消音器Ｄの出口の排気する案内弁３・３′、ブレンドした空気Ｅを太陽光モジュール５へ、空気の取入口４′に送り、太陽光モジュール５の温度管理（２０℃〜２５℃）管理、室内４の空気を清涼にし、外部Ｆへ連続放出
【実施例４】
【００１１】◎図４  山型歯車空気圧縮機
（Ｄｏｕｂｌｅ  ｈｅｌｉｃａｌ  ｇｅａｒｓ  Ａｉｒ  ｃｏｍｐｒｅｓｓｏｒ）
太陽光モジュールＳＭ１・２・３・４で作動するプロペラファンＰＦ１・２・３・４で連動する山型歯車空気圧縮機１・２・３・４とユニット化で運転状態の確認（ｍａｋｅ  ｓｕｒｅ）をヘリカルギア５で、運転状態をクラウド−ＩｏＴオペレーション良否を確認、機械の運転・停止を実施
【実施例５】
【００１２】◎図５  エアータービン噴射ノズル圧緩衝溝（Ａｉｒ  Ｂｕｆｆｅｒ  Ｐｏｃｋｅｔ）エアーノズル噴射圧力Ｐ１・２のタービンブレードＡ面の圧力を削減を噴射ノズルＰ１・２の圧力をＡ面に緩衝溝（Ａｉｒ  Ｂｕｆｆｅｒ  Ｐｏｃｋｅｔ）を設け、エアータービンの回転の円滑化を図る
【産業上の利用可能性】
【００１３】外部からのエネルギー供給を受けず、原料費０・公害０、単独発電でエネルギー社会に寄与
【符号の説明】
【００１４】  １：Ａ１・２・３・４：全日制人工太陽光用蓄電器（ＡＣ１００Ｖ）
２：１ａ・ｂ・ｃ・ｄ：全日制人工太陽光ＬＥＤ蛍光管（ＡＣ１００Ｖ）
３：ＳＭ１・２・３・４：太陽光モジュール
４：ＰＦ１・２・３・４：昼夜兼行型全日制太陽光で回転するプロペラファン（ＤＣ２４Ｖ）
５：ＤＨＣ１・２・３・４：山型歯車空気圧縮機（図４）
６：Ｐ１・２：噴射圧力
７：Ｎ１・２：噴射ノズル
８：エアータービン（図５）緩衝溝（Ａｉｒ  Ｂｕｆｆｅｒ  Ｐｏｃｋｅｔ）
９：減速駆動（ｈｅｌｉｃａｌ  ｇｅａｒｓ）（図６）
１０：誘導発電機（Ｉｎｄｕｃｔｉｏｎ  Ｇｅｎｅｒｅｔｅｒ）ＡＣ１００Ｖ５ＫＷ（図７）
１１：ボルテックチューブ消音装置
１２：太陽光モジュール温度管理
【図１】
2019033655.tif 000003
【図２】
2019033655.tif 000004
【図３】
2019033655.tif 000005
【図４】
2019033655.tif 000006
【図５】
2019033655.tif 000007
【図６】
2019033655.tif 000008
【図７】
2019033655.tif 000009
【手続補正書】
【提出日】平成30年2月26日(2018.2.26)
【手続補正１】
【補正対象書類名】明細書
【補正対象項目名】０００７
【補正方法】変更
【補正の内容】
【０００７】
【図１】全日制人工太陽光で太陽光パネル（ソーラーモジュール）発電
【図２】ボルテックチューブ１消音装置（断面図）
【図３】太陽光モジュールの温度管理
【図４】山型歯車空気圧縮機（Ｄｏｕｂｌｅ  ｈｅｌｉｃａｌ  ｇｅａｒｓ  Ａｉｒ  ｃｏｍｐｒｅｓｓｏｒ）
【図５】エアータービン噴射ノズル圧緩衝溝（Ａｉｒ  Ｂｕｆｆｅｒ  Ｐｏｃｋｅｔ）
【図６】減速駆動  Ｄｏｕｂｌｅ  ｈｅｌｉｃａｌ  ｇｅａｒｓ
【図７】誘導発電材  Ｉｎｄｕｃｔｉｏｎ  Ｇｅｎｅｒｅｔｅｒ  ＡＣ１００Ｙ５ＫＷ